(57)【要約】【課題】従来のリアプロジェクション装置では、光学ユニットを冷却して温められた空気を排気する排気口と、光学ユニットを冷却する空気を吸気する吸気口が近接した位置或いは一体に設けられていたため、光学ユニットの冷却効果が低くなるというという課題がある。【解決手段】開口部２ａを有すると共に内部に反射ミラー３が取り付けられたキャビネット２と、反射ミラーに向けて映像光を投射する光学ブロック２１と、キャビネット２の前面を覆うスクリーンフレームと、反射ミラー３と光学ブロック２１との間を仕切るセパレータ７と、を備えたリアプロジェクション装置を構成した。そして、セパレータ７に、光学ブロック２１を冷却する空気の風路を設けると共に、光学ブロック２１にその光学ブロック２１内を通る空気を排出する排気口４１ａを設け、風路の吸気口８３を排気口４１ａから離れた位置に配置した。【選択図】図４
2008145962.tif 000002
【特許請求の範囲】
【請求項１】
前面に開口された開口部を有すると共に内部に反射ミラーが取り付けられたキャビネットと、
前記キャビネットの内部に収納されると共に前記反射ミラーに向けて映像光を投射する光学ブロックと、
前記反射ミラーによって反射された前記映像光が投影されるスクリーンを保持すると共に前記キャビネットの前面を覆うスクリーンフレームと、
前記キャビネットの内部に収納されると共に前記反射ミラーと前記光学ブロックとの間を仕切るセパレータと、を備え、
前記セパレータに、前記反射ミラー側の空間から吸気されて前記光学ブロックを冷却する空気の風路を設けると共に、前記光学ブロックに、当該光学ブロック内を通る前記空気を前記反射ミラー側の空間に排出する排気口を設け、前記風路の吸気口を前記排気口から離れた位置に配置したことを特徴とするリアプロジェクション装置。
【請求項２】
前記光学ブロックに前記排気口の一部を塞ぐ遮蔽板を設け、当該遮蔽板に前記排気口から排出される前記空気を前記吸気口と反対側に向かわせる仕切り片を形成したことを特徴とする請求項１記載のリアプロジェクション装置。
【請求項３】
前記光学ブロックは、液晶プリズム系と照明系とを有し、
前記光学ブロックを通る空気は、前記液晶プリズム系を冷却することを特徴とする請求項１記載のリアプロジェクタ装置。
【請求項４】
前記風路は、前記セパレータと前記キャビネットの間における通路として形成したことを特徴とする請求項１記載のリアプロジェクション装置。
【請求項５】
前記光学ブロックにファンを設け、当該光学ブロックを冷却する前記空気を強制循環させることを特徴とする請求項１記載のリアプロジェクション装置。
【請求項６】
前記光学ブロックを前記キャビネットの中央に配置し、前記吸気口を前記セパレータの前記反射ミラーが取り付けられた側の少なくとも一方の角部に設けたことを特徴とする請求項１記載のリアプロジェクション装置。
【発明の詳細な説明】
【技術分野】
【０００１】
本発明は、映像光投射装置から出射した映像光を反射ミラーにより反射させてスクリーンの背面側に投射し、そのスクリーンに映像を表示させるリアプロジェクション装置に関するものである。
【背景技術】
【０００２】
従来の、この種のリアプロジェクション装置としては、例えば、特許文献１に記載されているようなものがある。特許文献１には、透過型液晶パネルを使用したリアプロジェクションテレビ等に用いて好適なプロジェクタ装置に関するものが記載されている。この特許文献１に記載されたプロジェクタ装置は、「赤色光、緑色光及び青色光をそれぞれ変調する液晶パネル及びダイクロイックプリズムを有する光学プリズムユニットと、光源ランプからの光を偏光するためのＰＳ変換素子とを備えた光学系ユニットと、上記光学系ユニットを冷却する冷却手段と、上記光学系ユニット及び上記冷却手段を組み付けた外装キャビネットとを備えたプロジェクタ装置であって、上記冷却手段は、吸気口を有するシロッコファンと、上記シロッコファンからの送風を第１のダクトを通じて上記光学プリズムユニットに導き冷却する第１の風路と、上記シロッコファンからの送風を第１のダクトから第２のダクトを通じて上記ＰＳ変換素子に導き冷却する上記第１の風路とは仕切り壁により仕切られた第２の風路とを有し、上記第１の風路及び第２の風路から冷却に供され温められた温風が上記外装キャビネット内に導かれて常温にされ、上記吸気口から上記シロッコファンに還流される」ことを特徴としている。
【０００３】
このような構成を有するプロジェクタ装置によれば、「ＰＳコンバータを冷却した後の温められた温風は第２の風路を通って外装キャビネット内へ排出されるので、ＰＳコンバータの冷却効果を高めることができる。」（明細書の段落［００１０］）等の効果が期待される。
【特許文献１】特開２００６−９１１４３号公報
【０００４】
しかしながら、特許文献１に記載されたプロジェクタ装置においては、光源ランプと、ＰＳコンバータと、３つの液晶パネル及び出射側偏光板からなるライトバルブ等を備えた光学ユニットを有していた。この光学ユニットには、ライトバルブ及びＰＳコンバータを冷却する空気（エアー）が吸入される吸入口と、ライトバルブ及びＰＳコンバータを冷却して温められた温風が排出される第１のダクト等が設けられている。そして、空気が吸入される吸入口と温風が排出される第１のダクトは、互いに近接した位置に配置されていた。
【０００５】
図２１は、上述した光学ユニットを搭載したリアプロジェクションテレビ１００を説明する斜視図である。図２１に示すように、リアプロジェクションテレビ１００は、前面に開口部１０１ａを有する筐体からなる上部キャビネット１０１と、この上部キャビネット１０１を下方から支持すると共に光学ユニット１０２が搭載される下部キャビネット１０３と、上部キャビネット１０１の開口部１０１ａを塞ぐ図示しないスクリーンフレーム等を備えて構成されている。
【０００６】
上部キャビネット１０１の下部キャビネット１０３と対向する面には、下部キャビネット１０３に搭載された光学ユニット１０２を露出させる開口部１０１ｂが設けられている。この開口部１０１ｂは、光学ユニット１０２の第１のダクト１０２ａから排出される温風と、光学ユニット１０２の図に表れない吸入口に吸入される空気が通る通気口となっている。即ち、光学ユニット１０２を冷却する空気を吸気する吸気口と、光学ユニット１０２から排出される温風を排気する排気口とが一体（近接した位置に）に設けられていた。
【０００７】
そのため、光学ユニット１０２の第１のダクト１０２ａから排出された温風が、充分に冷やされることなく再び光学ユニット１０２を冷却する空気として吸気されてしまうことになり、第１のダクト１０２ａから排出された空気（温風）と、吸入口から吸入されて光学ユニット１０２を冷却する空気の温度差が小さくなっていた。その結果、光学ユニット１０２に設けられた熱源のデバイスであるライトバルブやＰＳコンバータから熱を奪う効率、いわゆる捕熱効率が低下し、ライトバルブやＰＳコンバータの冷却効果が低くなるという問題があった。
【発明の開示】
【発明が解決しようとする課題】
【０００８】
解決しようとする問題点は、従来のリアプロジェクション装置では、光学ユニットを冷却して温められた空気（温風）が排気される排気口と、光学ユニットを冷却する空気が吸気される吸気口が近接した位置或いは一体に設けられていたため、捕熱効率が低下して光学ユニットの冷却効果が低くなるという点である。
【課題を解決するための手段】
【０００９】
本発明のリアプロジェクション装置は、前面に開口された開口部を有すると共に内部に反射ミラーが取り付けられたキャビネットと、キャビネットの内部に収納されると共に反射ミラーに向けて映像光を投射する光学ブロックと、反射ミラーによって反射された映像光が投影されるスクリーンを保持すると共にキャビネットの前面を覆うスクリーンフレームと、キャビネットの内部に収納されると共に反射ミラーと光学ブロックとの間を仕切るセパレータと、を備えている。そして、セパレータに、反射ミラー側の空間から吸気されて光学ブロックを冷却する空気の風路を設けると共に、光学ブロックに、その光学ブロック内を通る空気を反射ミラー側の空間に排出する排気口を設け、風路の吸気口を排気口から離れた位置に配置したことを最も主要な特徴とする。
【発明の効果】
【００１０】
本発明のリアプロジェクション装置によれば、光学ブロックの排気口から排出される空気と、風路の吸気口から吸気されて光学ブロックに供給される空気との温度差を大きくすることができ、捕熱効率を向上させて光学ブロックの冷却効果を高めることができる。
【発明を実施するための最良の形態】
【００１１】
セパレータに光学ブロックを冷却する空気が通る風路を設け、その風路の吸気口を光学ブロックの排気口から離れた位置に配置したことにより、光学ブロックの冷却効果を高めることができるリアプロジェクション装置を、簡単な構成によって実現した。
【００１２】
以下、本発明の実施の形態を、添付図面を参照して説明する。図１〜図２０は、本発明の実施の形態の例を示すものである。即ち、図１は本発明のリアプロジェクション装置の第１の実施の例を示す正面側から見た斜視図、図２は構造部品の分解斜視図、図３はキャビネットにプロジェクション本体を搭載した状態を示す説明図、図４は図３に示す状態からセパレータを取り付けた状態を表す説明図、図５はキャビネットを示す斜視図である。
【００１３】
図６は光学ブロックを示す斜視図、図７は光学ブロックを分解して斜め上から見た斜視図、図８は同じく斜め下から見た斜視図、図９は図７に示す上部ブロックの斜視図、図１０は図７に示す遮蔽版の斜視図、図１１は図７に示す中間ブロックの斜視図、図１２は図７に示す下部ブロックの斜視図、図１３は光学ユニットの分解斜視図、図１４は光学ユニットの構成を示す模式図、図１５は光学ユニットと上部ブロックを連結するアダプタ部材の斜視図である。図１６はセパレータを正面側から見た斜視図、図１７Ａ及び図１７Ｂはセパレータを背面側から見た斜視図、図１８はセパレータを上下方向に断面した断面図、図１９は、セパレータの風路を通る空気を説明する説明図、図２０は光学ブロック内を通る空気を説明する説明図である。
【００１４】
まず、本発明のリアプロジェクション装置の第１の実施の例を示すリアプロジェクションテレビ１について図１〜図１８を参照して説明する。リアプロジェクションテレビ１は、いわゆるテレビジョン受像機である。このリアプロジェクションテレビ１は、ＣＲＴやＬＣＤ素子等の画像表示デバイスを有する光学ブロックから映像光を出射し、その映像光を反射ミラーで反射してスクリーンに拡大投射することで映像（画像）を表示するものである。
【００１５】
このリアプロジェクションテレビ１は、図１〜４に示すように、前面の全体が開口された開口部２ａを有するキャビネット２と、このキャビネット２に取り付けられる反射ミラー３と、反射ミラー３によって反射された映像光が投影されるスクリーン４と、このスクリーン４を保持すると共にキャビネット２の開口部２ａを覆うスクリーンフレーム５と、キャビネット２の内部に搭載される光学ブロック２１を有するプロジェクション本体６と、プロジェクション本体６と反射ミラー３との間を仕切るセパレータ７等を備えて構成されている。
【００１６】
図２及び図５等に示すように、キャビネット２は、前面に開口部２ａを有する中空の筐体からなっている。このキャビネット２は、プロジェクション本体６が搭載される略長方形をなす載置面部２ｂと、この載置面部２ｂの長辺の開口部２ａと反対側の一端と略垂直をなして連続して略長方形をなすように形成された背面部２ｃと、この背面部２ｃに所定の傾斜角度をなして連続されると共に反射ミラー３が取り付けられる上面部２ｄと、載置面部２ｂの左側の短辺と略垂直をなして連続する左側面部２ｅと、載置面部２ｂの右側の短辺と略垂直をなして連続する右側面部２ｆとから構成されている。
【００１７】
上面部２ｄの内面には、複数のミラー係合片１１が設けられている。このミラー係合片１１に反射ミラー３の下辺部が係合される。背面部２ｃの右側には、後述するシャーシブロック２５の外部コネクタ部を露出させるコネクタ開口部１４が設けられている。更に、背面部２ｃの左側には、後述する光源ブロック２４を冷却するために外気等を通過させる格子状の冷却窓１６が設けられている。
【００１８】
左側面部２ｅ及び右側面部２ｆには、キャビネット２の内部に取り付けられた反射ミラー３等を掃除する際に、所定の掃除具を挿入することができる掃除孔１２ａが設けられている。この掃除孔１２ａには、蓋１２ｂがビス止め等によって取り付けられている。これにより、掃除孔１２ａが蓋１２ｂによって密閉されている。更に、左側面部２ｅ及び右側面部２ｆには、セパレータ７の位置決めと、組立て時にセパレータ７の嵌め込みをガイドするガイド段部１７が設けられている。このガイド段部１７の載置面部２ｂからの高さは、キャビネット２の開口部２ａ側よりも背面部２ｃ側が高くなるように設定されている。載置面部２ｂの開口部２ａ側の左右方向に所定の間隔を開けて本発明の支持部である第１の係合孔部１８と第２の係合孔部１９が設けられている。載置面部２ｂの開口部２ａ側の左右方向に所定の間隔を開けて第１の係合孔部１８と第２の係合孔部１９が設けられている。
【００１９】
反射ミラー３は、下辺の長さが上辺よりも短い略台形の板状に形成されている。この反射ミラー３の大きさは、キャビネット２の上面部２ｄの大部分を覆い隠す大きさに設定されている。この反射ミラー３は、下辺部を上面部２ｄのミラー係合片１１に係合させた状態で、ミラーホルダ１５によってキャビネット２に取り付けられている。
【００２０】
ミラーホルダ１５は、反射ミラー３の左辺部を保持する左側ミラーホルダ１５ａと、右辺部を保持する右側ミラーホルダ１５ｂと、上辺部を保持する上側ミラーホルダ１５ｃから構成されている。これらの３つのミラーホルダ１５ａ，１５ｂ，１５ｃは、それぞれ上面部２ｄにビス止めされている。
【００２１】
スクリーンフレーム５は、図１及び図２に示すように、長方形をなす横長の枠状部材からなっている。このスクリーンフレーム５は、長方形状のベース枠５ａと、このベース枠５ａの前面側に取り付けられる化粧枠５ｂと、ベース枠５ａの背面側に配置されるスクリーン４と、このスクリーン４をベース枠５ａに固定する図に表れないスクリーン枠等を備えて構成されている。
【００２２】
ベース枠５ａは、キャビネット２の開口部に対応した大きさに設定されている。化粧枠５ｂは、ベース枠５ａの前面から露出されるスクリーン４の外周を囲うように配置されている。この化粧枠５ｂは、ベース枠５ａにビス止め等の固定手段により固定されている。更に化粧枠５ｂの長辺側の一辺である下辺部には、微細な孔からなる図示しないスピーカホールと、動作表示を行うガイドライトが挿嵌される図示しないガイドライト孔が設けられている。
【００２３】
スクリーン４は、反射ミラー３側に配置されるフレネルレンズと、このフレネルレンズの反射ミラー３と反対側に配されるレンキュラーレンズとの組合せにより構成されている。このスクリーン４をベース枠５ａと図示しないスクリーン枠の間に介在させ、スクリーン枠をベース枠５ａにビス止めにより固定する。
【００２４】
図３に示すように、プロジェクション本体６は、キャビネット２の載置面２ａの左右方向の略中央部に搭載される光学ブロック２１と、キャビネット２の開口部２ａから見て左右方向の一側に搭載される光源ブロック２２と、キャビネット２の開口部２ａから見て左右方向の他側に搭載されるシャーシブロック２３とから構成されている。
【００２５】
光源ブロック２２は、光学ブロック２１に光を照射する光源２６（図１４を参照）と、この光源２６を冷却する冷却装置を有している。この光源２６としては、例えば、高輝度放電ランプを挙げることができる。シャーシブロック２３は、光学ブロック２１及び光源ブロック２２を駆動制御する制御装置等を有している。このシャーシブロック２３には、制御装置等を冷却する冷却ファン２７を設けている。更に、シャーシブロック２３の背面には、ＵＳＢコネクタ等が接続される外部コネクタ部を有している。
【００２６】
図６〜図１２に示すように、光学ブロック２１は、上下方向に重ね合わされて組み立て結合される上部ブロック３１と中間ブロック３２と下部ブロック３３と、上部ブロック３１と中間ブロック３２との間に搭載される光学ユニット３４と、中間ブロック３２と下部ブロック３３との間に搭載されるファン装置の一具体例を示すシロッコファン３５等を備えて構成されている。
【００２７】
図９等に示すように、上部ブロック３１は、光学ユニット３４に対向されるユニット対向部４１と、このユニット対向部４１の一側に連続する筒部４２等を備えて構成されている。上部ブロック３１のユニット対向部４１は、略長方形の枠体からなり、その開口部は光学ユニット３４で温められた空気が排出される排気口４１ａとなっている。上部ブロック３１の筒部４２は、ユニット対向部４１の一方の長辺に連続すると共に上下方向に延在されている。この筒部４２の上端は、セパレータ７の後述する風路８４の出口に対向され、下端が中間ブロック３２に対向される。また、上部ブロック３１には、排気口４１ａの一部を塞ぐ遮蔽板４３が取り付けられている。
【００２８】
図１０等に示すように、遮蔽板４３は、排気口４１ａの一部を塞ぐ本体板４３ａと、この本体板４３ａの一辺に連続して下方に突出する仕切り片４３ｂを有している。遮蔽板４３の仕切り片４３ｂは、図４に示すように、プロジェクション装置１の組み立て状態において、セパレータ７の後述する吸気口８３側に配置される。これにより、光学ユニット３４で温められた空気をセパレータ７の吸気口８３と反対側に進行させることができる。また、遮蔽板４３は、光学ユニット３４の発光が反射ミラー３に映りこまないように、その光を遮る遮光板としての役割も有している。
【００２９】
図１１等に示すように、中間ブロック３２は、光学ユニット３４が取り付けられるユニット取付部４５と、このユニット取付部４５に連続すると共にシロッコファン３５の上部を覆うファンカバー部４６等を備えて構成されている。中間ブロック３２のユニット取付部４５には、光学ユニット３４の後述する３組のライトバルブ７２に対応した位置に３つの第１の通気穴４７ａが設けられており、光学ユニット３４の後述するＰＳコンバータ６２に対応した位置に第２通気穴４７ｂが設けられている。これら第２通気穴４７ｂ及び３つの第１の通気穴４７ａは、光学ブロック２１の組み立て状態において、シロッコファン３５の送風口に連通される。
【００３０】
中間ブロック３２のファンカバー部４６は、下方から見て複数の段部を有する凹陥状に形成されており、その大きさはシロッコファン３５の大きさに見合った大きさに設定されている。このファンカバー部４６の上面（凹陥状の底面）には、シロッコファン３５の吸気口に対向する位置に格子状に形成された開口窓４８が設けられている。この開口窓４８とシロッコファン３５の間には、空気中に含まれる粉塵等を捕集する集塵フィルタ４９が取り付けられている。また、開口窓４８の集塵フィルタ４９が取り付けられる側と反対側には、上部ブロック３１の筒部４２が対向される。
【００３１】
図１２等に示すように、下部ブロック３３は略長方形の板体からなる。この下部ブロックの上面には、図に表れない防振ゴムを介してシロッコファン３５が載置される。また、下部ブロック３３の上面には、中間ブロック３２のユニット取付部４５に係合される第１の係合片５１と第２の係合片５２が設けられている。これら第１及び第２の係合片５１，５２が、中間ブロック３２のユニット取付部４５に係合されることにより、中間ブロック３２の第２通気穴４７ｂ及び３つの第１の通気穴４７ａとシロッコファン３５の送風口を連通させる通路が形成される。
【００３２】
図１３等に示すように、光学ユニット３４は、ＰＳコンバータや色分解ミラー等の照明系が搭載される照明系ベース５５と、液晶パネルやクロスプリズム等の液晶プリズム系が搭載される液晶プリズム系ベース５６と、照明系ベース５５の上部に取り付けられる蓋部材５７等を有している。
【００３３】
光学ユニット３４の照明系ベース５５は、略四角形の筒体からなる。この照明系ベース５５の内部には、図１３及び図１４に示すように、フライアイレンズ群６１と、ＰＳコンバータ６２と、２つの色分解ミラー（ダイクロイックミラー）６３，６４と、３つの反射ミラー６５，６６，６７と、３枚のコンデンサレンズ６８Ｒ，６８Ｇ，６８Ｂと、３つの入射側偏光板６９等の照明系が搭載されている。
【００３４】
光学ユニット３４の液晶プリズム系ベース５６は、適当な厚みを有する板体からなり、一方の平面が照明系ベース５５の一面に取り付けられる。この液晶プリズム系ベース５６の一方の平面には、液晶デバイスである３つの液晶パネル７０Ｒ，７０Ｇ，７０Ｂ及び３つの出射側偏光板７１からなる３組のライトバルブ７２と、色合成用のクロスプリズム（ダイクロイックプリズム）７３等の液晶プリズム系が搭載されている。
【００３５】
また、液晶プリズム系ベース５６の他方の平面には、反射ミラー７５と、投射レンズ７６等が搭載されている。更に、液晶プリズム系ベース５６には、一方の平面に設けたクロスプリズム７３と他方の平面に設けた反射ミラー７５との間に図に表れない貫通穴が設けられている。そして、クロスプリズム７３と反射ミラー７５との間には、レンズ群７４が設けられている。
【００３６】
ＰＳコンバータ６２は、誘電体がコーティングされた短冊状のガラスを接着剤で貼り合わせることにより形成されている。光学ユニット３４の組み立て状態において、液晶プリズム系ベース５６に搭載した液晶パネル４０Ｒ，４０Ｇ，４０Ｂの入射側には、照明系ベース５５に搭載した３つの入射側偏光板６９がそれぞれ配置される。これら３つの入射側偏光板６９は、それぞれ薄いガラス板を介してコンデンサレンズ６８Ｒ，６８Ｇ，６８Ｂに接着されている。
【００３７】
液晶パネル７０Ｒ，７０Ｇ，７０Ｂの出射側には、それぞれ薄いガラス板を介してクロスプリズム７３に装着された３つの出射側偏光板７１が配置されている。また、各液晶パネル７０Ｒ，７０Ｇ，７０Ｂには、それぞれフレキシブル配線板７８が接続されている。これら３つのフレキシブル配線板７８の各液晶パネル７０Ｒ，７０Ｇ，７０Ｂと反対側の端部には、シャーシブロック２３の図示しない制御装置に接続されている。これにより、液晶パネル７０Ｒ，７０Ｇ，７０Ｂが、シャーシブロック２３の図示しない制御装置に電気的に接続されている。
【００３８】
光学ユニット３４の蓋部材５７は、照明系ベース５５の上部の形状に見合った略矩形の板体からなる。この蓋部材５７には、照明系ベース５５に搭載した３枚のコンデンサレンズ６８Ｒ，６８Ｇ，６８Ｂ及び３つの入射側偏光板６９等との接触を避けるための切欠き部５７ａが設けられている。この切欠き部５７ａは、蓋部材５７の一方の短辺から中央部に至るまで大きく形成されている。
【００３９】
次に、図１４を参照して、光源ブロック２２に設けた光源２６と光学ブロック２１による映像投影機構について説明する。まず、光源ブロック２２に設けた光源２６から照射された光は、フライアイレンズ群６１によって均一化され、ＰＳコンバータ６２によって偏光方向が揃えられる。そして、偏光方向が揃えられた光は、反射ミラー６５，６６，６７と色分解ミラー６３，６４によって、Ｒ（赤）、Ｇ（緑）、Ｂ（青）の３色の光に分解される。
【００４０】
コンデンサレンズ６８Ｒ，６８Ｇ，６８Ｂ及び入射側偏光板６９を通して液晶パネル７０Ｒ，７０Ｇ，７０Ｂに照射された３色の光は、画像信号によって変調され、出射側偏光板７１を通して、その透過率が制御される。このようにして、液晶パネル７０Ｒ，７０Ｇ，７０Ｂ上に形成された画像は、クロスプリズム７３によって１つの映像光として合成される。この映像光は、レンズ群７４を透過し、反射ミラー７５によって反射されて投射レンズ７６に出射される。そして、この映像光は、投射レンズ７６を介してスクリーン４に投射される。
【００４１】
このような構成を有する光学ユニット３４は、照明系ベース５５の下部が光学ブロック２１の中間ブロック３２に固定され、蓋部材５７が光学ブロック２１の上部ブロック３１にアダプタ部材５９を介して固定される。図１５等に示すように、アダプタ部材５９は、蓋部材５７と略同様の平面形状となっており、略四角形の枠体からなるアダプタ部材５９と、この枠部５９ａの一辺に連続して水平方向に延在されるアーム部５９ｂとを備えて構成されている。アダプタ部材５９のアダプタ部材５９は、蓋部材５７の切欠き部５７ａに対向される。これにより、光学ブロック２１の中間ブロック３２に設けた３つの第１の通気穴４７ａから送風される空気を、光学ユニット３４の照明系ベース５５及びアダプタ部材５９の枠部５９ａを通して上部ブロック３１に送ることができる。
【００４２】
図１６〜図１８に示すように、セパレータ７は、略Ｌ字状に折れ曲がった板体として構成されている。このセパレータ７は、略長方形をなす第１面部７ａと、当該第１面部７ａの長辺の一端から所定の傾斜角度をなして連続する第２面部７ｂを有している。リアプロジェクションテレビ１の組み立て状態において、第１面部７ａは、プロジェクション本体６の上面を覆い、第２面部７ｂは、プロジェクション本体６の前面を覆う。プロジェクション本体６の上面及び前面を覆うことにより、セパレータ７は、プロジェクション本体６の防塵の役割と、セパレータ７によって仕切られるキャビネット２内部の反射ミラー３側空間部とプロジェクション本体６側空間部の循環を作るためのシーリング作用としての役割を果たしている。更に、セパレータ７自体が補強部材となり、リアプロジェクションテレビ１全体の強度を向上させている。その結果、従来のリアプロジェクション装置のように支柱を設ける必要がないため、部品点数を削減することができる。
【００４３】
第１面部７ａの略中央には、投射開口部８１が設けられている。この投射開口部８１には、光学ブロック２１の投射レンズ７６又は当該投射レンズ７６から投射される映像光が貫通される。また、投射開口部８１は、光学ブロック２１の排気口４１ａから排気される温められた空気が、プロジェクション本体６側空間部から反射ミラー３側空間部へ抜ける通気口としての役割も有している。更に、第１面部７ａには、面強度を高めるために複数の段部８２が階段状に設けられている。
【００４４】
また、第１面部７ａにおいて第２面部７ｂと連続する長辺と反対側に位置する長辺の一端部には、光学ブロック２１を冷却するための空気を吸い込む吸気口８３が設けられている。そして、第１面部７ａのプロジェクション本体６と対向する側には、吸気口８３から光学ブロック２１に向けて空気を通す風路８４が設けられている。
【００４５】
図１７Ａ及び図１７Ｂ等に示すように、風路８４は、第１面部７ａに連続して水平方向に延在される棚部８５と、この棚部８５に連続して上下方向に展開される２つの側面部８６ａ，８６ｂから形成されている。棚部８５は、横長の略長方形をなす板体からなり、長辺が第１面部７ａの長手方向と平行な方向に延在されている。この棚部８５の長辺は、第１面部７ａの吸気口８３に対応する位置から第１面部７ａの長手方向の略中央部に至るまでの長さに設定されている。
【００４６】
棚部８５の第１面部７ａと反対側の長辺には、切欠き８５ａが設けられている。この切欠き８５ａは、吸気口８３から離れた位置に配置されており、リアプロジェクションテレビ１の組み立て状態において、光学ブロック２１の筒部４２に対向される。また、２つの側面部８６ａ，８６ｂは、棚部８５の２つの短辺にそれぞれ連続されており、それぞれの先端が第１面部７ａに連続されている。このような構成を有する風路８４は、リアプロジェクションテレビ１の組み立て状態において、キャビネット２により閉じられる。これにより、風路８４が、セパレータ７とキャビネット２の間における通路として形成されると共に、棚部８５の切欠き８５ａが風路８４の出口として形成される。
【００４７】
図１７Ａ、図１７Ｂ及び図１８に示すように、第２面部７ｂには、左右方向に所定の間隔を開けて２つのスピーカ設置孔８９が設けられている。図１６等に示すように、２つのスピーカ設置孔８９には、それぞれスピーカ装置９０が嵌め込まれ、ネジ止め等の固定手段によって第２面部７ｂに固定されている。また、第２面部７ｂの略中央の左側には、配線基板取付部９２が設けられており、この配線基板取付部９２にリモコン受光部が設けられた配線基板９３が取り付けられている。尚、この第２面部７ｂには、スピーカ装置９０、配線基板９３だけでなく、操作パネルやＡＶ機器接続用の入力端子等の各種のアクセサリ装置を取り付けてもよい。
【００４８】
第２面部７ｂの下端部には、セパレータ７の強度を高めるために、セパレータ補強部材９４が取り付けられている。このセパレータ補強部材９４は、左右方向に延在されて所定の長さに設定されている。更に、このセパレータ補強部材９４は、十分に大きな強度を発揮できる金属材料、例えば、鋼材等から形成されている。
【００４９】
更に、第２面部７ｂの下端部には、キャビネット２に設けた第１の係合孔部１８に対応する位置に、第１の係合フック部９６を設けている。同様に、第２面部７ｂの下端部におけるキャビネット２に設けた第２の係合孔部１９に対応する位置には、第２の係合フック部９７を設けている。尚、この実施の例では、係合孔部１８，１９と係合フック部９６，９７を設けることにより、係合孔部と係合フック部との組み合わせを２組とした例について説明したが、係合孔部と係合フック部との組み合わせの数は、１組であってもよく、また３組以上としてもよいことは勿論である。
【００５０】
なお、セパレータ７の外周の一部分にゴム、クッション或いは弾性を有するプラスチック等からなる振動吸収部材を設けてもよい。この振動吸収部材により、スピーカ装置９０の振動がキャビネット２に伝播するのを防ぐことができる。更に、キャビネット２とセパレータ７との隙間を無くすことができ、プロジェクション本体６の防塵効果をより向上させることができる。
【００５１】
このような構成を有するリアプロジェクションテレビ１は、例えば、次のようにして組み立てることができる。まず、キャビネット２の上面部２ｄに反射ミラー３を取り付ける。即ち、反射ミラー３の下辺部をキャビネット２の複数のミラー係合片１１に係合させる。そして、ミラーホルダ１５によって反射ミラー３の上辺部、左辺部及び右辺部をキャビネット２の上面部２ｄにネジ止めする。
【００５２】
次に、キャビネット２の開口部２ａから載置面部２ｂに、プロジェクション本体６を挿入する。即ち、載置面部２ｂの中央に光学ブロック２１、キャビネット２の開口部２ａから見て一側に光源ブロック２４、同様に他側にシャーシブロック２５を搭載する。このとき、シャーシブロック２５に設けた冷却ファン２７が、キャビネット２の背面部２ｃに設けたファン開口部１３から露出される。同様に、シャーシブロック２５に設けた外部コネクタ部が、キャビネット２の背面部２ｃに設けたコネクタ開口部１４から露出される。そして、キャビネット２に搭載された３つのブロック２３，２４，２５間を図示しないコネクタにより電気的に接続させる。
【００５３】
これにより、プロジェクション本体６の組み込み作業及びブロック２３，２４，２５間の電気的な接続処理を全てキャビネット２の前面に設けた開口部２ａから行えるため、組み込み作業及び配線処理を広い視界で極めて容易に行うことができる。その結果、コネクタ半挿し等の確認を確実に行うことができるため、電気的な接続不良を確実に防止することができる、従って、製品の歩留りの向上を図ることができる。更に、スクリーン４に映像光を反射させる反射ミラー３及びこの反射ミラー３に映像光を投射する光学ブロック２１は、キャビネット２に収納される。そのため、反射ミラー３と光学ブロック２１とを互いに対応した所定の位置に精度良く容易に配置することができ、光学精度を向上させることができる。
【００５４】
次に、セパレータ７のスピーカ設置孔８９にスピーカ装置９０を嵌め込み、ビス止めにより固定する。更に、このセパレータ７の配線基板取付部９２に配線基板９３を取り付ける。これにより、セパレータ７と、スピーカ装置９０等から構成されるセパレータ組立体９８が組み立てられる。
【００５５】
次に、キャビネット２の左側面部２ｅ及び右側面部２ｆに設けたガイド段部１７に沿って、セパレータ組立体９８を嵌め込む。このとき、第１の係合孔部１８と第１の係合フック部９６が係止され、同様に、第２の係合孔部１９と第２の係合フック部９７が係止される。これにより、キャビネット２の内部にセパレータ組立体９８が固定される。これと同時に、セパレータ７に設けた投射開口部８１から、光学ブロック２１の投射レンズ７６が貫通される。
【００５６】
尚、本実施例では、セパレータ７のキャビネット２への固定手段として係合フック部９６，９７及び係合孔部１８，１９を設けた例について説明したが、これに限定されるものでない。例えば、係合フック部９６，９７を係合孔部１８，１９に係合させるだけでなく、更にネジ止め等の固定手段を用いてもよいことは勿論である。
【００５７】
このセパレータ組立体９８がキャビネット２の内部に固定されることにより、反射ミラー３とプロジェクション本体６との間が仕切られる。これにより、プロジェクション本体６の防塵を行うことができると共に、セパレータ７によって仕切られるキャビネット２内部の反射ミラー３側空間部とプロジェクション本体６側空間部の循環を作るためのシーリング作用を得ることができる。更に、セパレータ組立体９８が補強部材となるため、キャビネット２の強度が向上され、キャビネット２に撓み等の変形が生じることを防止することができる。
【００５８】
次に、スクリーン４をスクリーン枠とベース枠５ａの間に介在させ、スクリーン枠をベース枠５ａにビス止めすることにより、スクリーン４をベース枠５ａに固定する。このスクリーン４が固定されたベース枠５ａの前面に化粧枠５ｂをビス止めして固定する。これにより、スクリーン４と、ベース枠５ａと、スクリーン枠と、化粧枠５ｂから構成されるスクリーン組立体９９が組立てられる。
【００５９】
このスクリーン組立体９９を、セパレータ組立体９８が固定されているキャビネット２の開口部２ａを覆うように、キャビネット２の前面にビス止めする。これにより、リアプロジェクションテレビ１が組み立てられる。
【００６０】
次に、光学ブロック２１を冷却する空気の流れを、図４、図１９及び図２０を参照して説明する。図１９は、プロジェクション本体６とセパレータ７を背面側から見たものを表しており、セパレータ７に設けた風路８４を通る空気を説明する説明図である。また、図２０は、光学ブロック２１等を上下方向に断面したものを表しており、光学ブロック内を通る空気を説明する説明図である。図４等に示すように、光学ブロック２１を冷却する空気は、セパレータ７の吸気口８３から吸気される。吸気口８３から吸気された空気は、図１９に示すように、セパレータ７の風路８４を通って切欠き８５ａから光学ブロック２１の上部ブロック３１に設けた筒部４２に入る。
【００６１】
上部ブロック３１の筒部４２に入った空気は、その筒部４２を通り抜けて中間ブロック３２の開口窓４８からファンカバー部４６に入る。そして、ファンカバー部４６に入った空気は、集塵フィルタ４９を通り抜けた後、シロッコファン３５によって３つの第１の通気穴４７ａと第２通気穴４７ｂに送風される（図１１等を参照）。３つの第１の通気穴４７ａ及び第２通気穴４７ｂから出た空気は、それぞれ光学ユニット３４の照明系ベース５５を通る。このとき、照明系ベース５５を通る空気は、液晶プリズム系や照明系から熱を奪って冷却する。
【００６２】
この際、３つの第１の通気穴４７ａが液晶プリズム系における熱源のデバイスである３組のライトバルブ７２に対向しているため、３つの第１の通気穴４７ａから出た空気を３組のライトバルブ７２に積極的に当てることができる。これにより、３組のライトバルブ７２から効率よく熱を奪うことができ、液晶プリズム系全体の冷却効果を高めることができる。同様に、第２通気穴４７ｂが照明系における熱源のデバイスであるＰＳコンバータ６２に対向しているため、第２通気穴４７ｂから出た空気をＰＳコンバータ６２に積極的に当てることができる。これにより、ＰＳコンバータ６２から効率よく熱を奪うことができる。
【００６３】
照明系ベース５５を通って温められた空気は、アダプタ部材５９の枠部５９ａを通り抜けて上部ブロック３１のユニット対向部４１に設けた排気口４１ａから反射ミラー側空間部に排気される。このとき、温められた空気を排気する排気口４１ａと、光学ブロック２１に供給する空気を吸気する吸気口８３が離れた位置にあるため、吸気口８３に到達する空気を充分に冷やすことできる。その結果、吸気口８３から吸気されて光学ブロック２１に供給される空気と、光学ブロック２１を冷却して温められた空気の温度差を大きくすることができ、光学ブロック２１の冷却効果を高めることができる。
【００６４】
また、排気口４１ａから排気される温められた空気は、遮蔽板４３によってセパレータ７の吸気口８３と反対側に向けられる。そのため、排気された暖かい空気を反射ミラー側空間部内で大きく循環させることができ、遮蔽板４３を取り付けない場合よりも吸気口８３に戻す空気を低くすることができる。その結果、光学ブロック２１の冷却効果をより高めることができる。
【００６５】
以上説明したように、本発明のリアプロジェクション装置によれば、光学ブロックを冷却する空気の風路を設けると共に、その風路の吸気口を光学ブロックの排気口から離れた位置に配置したため、充分に冷えた空気を風路の吸気口から吸気させることができる。その結果、吸気口から吸気されて光学ブロックに供給される空気と、光学ブロックを冷却して温められた後に排気される空気との温度差を大きくすることができ、光学ブロックの冷却効果を高めることができる。
【００６６】
また、本発明のリアプロジェクション装置によれば、光学ブロックの排気口の一部を塞ぐ遮蔽板を設け、その遮蔽板に仕切り片を形成することにより、排気口から排気される温かい空気を風路の吸気口と反対側に向かわせるようにした。そのため、排気された暖かい空気を反射ミラー側の空間内で大きく循環させることができ、吸気口に到達する空気をより冷やすことができる。
【００６７】
更に、光学ブロックに３つの第１の通気穴を設け、それら３つの第１の通気穴を液晶プリズム系の３組のライトバルブに対向させたため、３つの第１の通気穴から出た空気を熱源のデバイスである３組のライトバルブに積極的に当てることができる。その結果、３組のライトバルブから効率よく熱を奪うことができ、液晶プリズム系全体の冷却効果を高めることができる。
【００６８】
尚、本発明は前述しかつ図面に示した実施の形態に限定されるものではなく、その要旨を逸脱しない範囲内で種々の変形実施が可能である。例えば、前記実施の例においては、リアプロジェクション装置としてリアプロジェクションテレビを適用した例について説明したが、パーソナルコンピュータや遊技機のディスプレイ装置、その他のリアプロジェクション装置にも適用できるものである。
【図面の簡単な説明】
【００６９】
【図１】本発明のリアプロジェクション装置の第１の実施の例に係るリアプロジェクションテレビを正面側から見た斜視図である。
【図２】本発明のリアプロジェクション装置の第１の実施の例に係る主要な構造部の分解斜視図である。
【図３】本発明のリアプロジェクション装置の第１の実施の例に係るキャビネットにプロジェクション本体を搭載した状態を示す説明図である。
【図４】本発明のリアプロジェクション装置の第１の実施の例に係るキャビネットにプロジェクション本体とセパレータを搭載した状態を示す説明図である。
【図５】本発明のリアプロジェクション装置の第１の実施の例に係るキャビネットを示す斜視図である。
【図６】本発明のリアプロジェクション装置の第１の実施の例に係る光学ブロックの斜視図である。
【図７】本発明のリアプロジェクション装置の第１の実施の例に係る光学ブロックを分解して斜め上から見た斜視図である。
【図８】本発明のリアプロジェクション装置の第１の実施の例に係る光学ブロックを分解して斜め下から見た斜視図である。
【図９】本発明のリアプロジェクション装置の第１の実施の例に係る上部ブロックの斜視図である。
【図１０】本発明のリアプロジェクション装置の第１の実施の例に係る上部ブロックに取り付ける遮蔽板の斜視図である。
【図１１】本発明のリアプロジェクション装置の第１の実施の例に係る中間ブロックの斜視図である。
【図１２】本発明のリアプロジェクション装置の第１の実施の例に係る下部ブロックの斜視図である。
【図１３】本発明のリアプロジェクション装置の第１の実施の例に係る光学ユニットの分解斜視図である。
【図１４】本発明のリアプロジェクション装置の第１の実施の例に係る光学ブロック及び光源の構成を示す模式図である。
【図１５】本発明のリアプロジェクション装置の第１の実施の例に係るアダプタ部材の斜視図である。
【図１６】本発明のリアプロジェクション装置の第１の実施の例に係るセパレータを正面側から見た斜視図である。
【図１７】本発明のリアプロジェクション装置の第１の実施の例に係るセパレータを示すもので、図１７Ａは背面側の右斜めから見た斜視図、図１７Ｂは背面側の左斜めから見た斜視図である。
【図１８】本発明のリアプロジェクション装置の第１の実施の例に係るセパレータを上下方向に断面した断面図である。
【図１９】本発明のリアプロジェクション装置の第１の実施の例に係る光学ブロックを冷却する空気の流れを説明するものであり、セパレータの風路を通る空気を説明する説明図である。
【図２０】本発明のリアプロジェクション装置の第１の実施の例に係る光学ブロックを冷却する空気の流れを説明するものであり、光学ブロック内を通る空気を説明する説明図である。
【図２１】従来のリアプロジェクション装置に係るリアプロジェクションテレビを示すものであり、光学ユニットを冷却する空気の流れを説明する説明図である。
【符号の説明】
【００７０】
１…リアプロジェクションテレビ（リアプロジェクション装置）、  ２…キャビネット、２ａ…開口部、  ２ｃ…背面部、  ３…反射ミラー、  ４…スクリーン、  ５…スクリーンフレーム、  ６…プロジェクション本体、  ７…セパレータ、  ７ａ…第１面部、７ｂ…第２面部、  ２１…光学ブロック、  ２２…光源ブロック、  ２３…シャーシブロック、  ２６…光源、  ３１…上部ブロック、  ３２…中間ブロック、  ３３…下部ブロック、  ３４…光学ユニット、  ３５…シロッコファン（ファン）、  ４７ａ…第１の通気穴、  ４７ｂ…第２の通気穴、  ５５…照明系ベース、  ５６…液晶プリズム系ベース、  ５７…蓋部材、  ６２…ＰＳコンバータ、  ７０Ｒ，７０Ｇ，７０Ｂ…液晶パネル、  ７２…ライトバルブ、  ７６…投射レンズ、  81…投射開口部、  83吸気口、８４…風路、  ８５…棚部、  ８５ａ…切欠き、  ８６ａ，８６ｂ…側面部
【図１】
2008145962.tif 000003
【図２】
2008145962.tif 000004
【図３】
2008145962.tif 000005
【図４】
2008145962.tif 000006
【図５】
2008145962.tif 000007
【図６】
2008145962.tif 000008
【図７】
2008145962.tif 000009
【図８】
2008145962.tif 000010
【図９】
2008145962.tif 000011
【図１０】
2008145962.tif 000012
【図１１】
2008145962.tif 000013
【図１２】
2008145962.tif 000014
【図１３】
2008145962.tif 000015
【図１４】
2008145962.tif 000016
【図１５】
2008145962.tif 000017
【図１６】
2008145962.tif 000018
【図１７】
2008145962.tif 000019
【図１８】
2008145962.tif 000020
【図１９】
2008145962.tif 000021
【図２０】
2008145962.tif 000022
【図２１】
2008145962.tif 000023